(57)【要約】 【課題】  インターホン子機を隠すカバーにおいて、使用される機種に幅広く対応でき表札も兼ねており、使用者の嗜好や条件に合わせてカスタマイズ可能な物とする。【解決手段】  表面パネル１と、表面パネルのいずれか一辺を支持しインターホン子機３側に固定される支持部バックパネル４とを有することで、表面パネル１全体をボタンのように押して内へ折り曲げる動作により、点で無く面で呼出ボタンが押せる事から機種によって異なる呼出ボタンの位置に幅広く対応することが出来、更に表面パネル１は音声  パイロットランプ視認用穴７を設けインターホン子機３のパイロットランプの点灯を視認でき、音声をよりスムーズに通過させる。表札５及び装飾６を表面パネル１に簡単に装着でき、それぞれ嗜好により自由に製作することができる。【選択図】  図２
2010288038.tif 000002
【特許請求の範囲】
【請求項１】
呼出ボタンを有するインターホン子機を内側に隠し、表札の機能を兼ねたカバーにおいて、このカバーの本体であり呼出ボタン用の穴が無い表面パネル全体をボタンのように押して内へ折り曲げる動作により、インターホン子機の呼出ボタンの位置に幅広く対応できる事を特徴とする、表札兼インターホンカバー。
【請求項２】
表面パネル部に有する音声  パイロットランプ視認用穴から、インターホン子機のパイロットランプ点灯の確認と、音声をよりスムーズにインターホン子機のマイクまで届かせることを可能とした、請求項１の表札兼インターホンカバー。
【請求項３】
表札として機能し、様々な装飾を装着することができ、表面パネルが有する音声  パイロットランプ視認用穴を利用した表札パーツや装飾の装着が簡単であり、使用者の嗜好によりカスタマイズすることが可能な請求項２の、表札兼インターホンカバー。
【発明の詳細な説明】
【技術分野】
【０００１】
本発明は建物の門回りやエントランスに設置されるインターホン子機のカバーに関する。        
【背景技術】
【０００２】
従来のインターホンカバーは使用される子機の機種によりカメラの位置、呼び出しボタンの位置形状、パイロットランプの位置、マイクの位置が異なるため似通ったタイプ別に数種展開されているが、選択するほどの種類は無くインターホン子機の機種が決定すればそれに対応できる既定の型を選択するほかなかった。又  表札機能を兼ねたものは更に数少なく、別途表札を設置しなければならない場合が多い。
【０００３】
以下従来のインターホンカバーについて説明する。非特許文献１はインターホンカバーの例で、非特許文献２はインターホンカバーに表札機能の付いた物の例である。どちらもパネルのカメラ用の穴、呼び出しボタン用の穴、音声用およびパイロットランプ視認用の穴の位置や形状が異なるものがその機種やメーカーに準じた形で数種展開されている。インターホン子機の姿を覆い隠すことには成果がみえるがそのデザインや趣向は概ね画一的で、製品バリエーションは数少ない。表札機能のついた製品はさらに選択肢が少なく、また適合機種以外のインターホン子機に対応させる時は、特注料金にて別注文となる。
【０００４】
次にインターホンカバーを有したパネルファンクションユニットの例を非特許文献３で示す。ポスト表札と共にインターホン子機を配しているが子機を覆い隠すカバーはわずか３種類であり、装飾は多少可能であるが文字の書体は限定される。設置場所にはポスト、表札、インターホンを納めるパネルのサイズ分の壁面積が必要となる。
【先行技術文献】
【非特許文献】
【０００５】
【非特許文献１】「株式会社アイシン  オンリーワンエクステリア  Ｅ−９」、株式会社アイシン、２００９年４月発行  ｐ１１８〜１１９  インターホンカバー
【非特許文献２】「株式会社アイシン  オンリーワンエクステリア  Ｅ−９」、株式会社アイシン、２００９年４月発行  ｐ１２０  インターホンカバー付き表札
【非特許文献３】「東洋エクステリア株式会社  エクステリアカタログ２００８〜２００９」、東洋エクステリア株式会社  ２００８年  カタログコードＥＥ０３  ｐ２４５〜２５５パネルファンクションユニット
【発明の概要】
【発明が解決しようとする課題】
【０００６】
以上に述べた従来のインターホンカバーの問題点を鑑みて、本発明は幅広いメーカーや機種のインターホン子機の形状に対応し、また建造物の顔とも言える玄関及びエントランスに使用者の嗜好を反映する事ができる装飾や表札機能をつけられる、表札兼インターホンカバーを提供することを目的とする。
【課題を解決するための手段】
【０００７】
呼出ボタンを有するインターホン子機を内側に隠し、表札の機能を兼ねたカバーにおいて、このカバーの本体であり呼出ボタン用の穴が無い表面パネル全体をボタンのように押して内へ折り曲げる動作により、インターホン子機の呼出ボタンの位置に幅広く対応できる。
【０００８】
表面パネル部に有する音声  パイロットランプ視認用穴から、インターホン子機のパイロットランプ点灯の確認と、音声をよりスムーズにインターホン子機のマイクまで届かせることを可能とした。
【０００９】
表札として機能し、様々な装飾を装着することができ、表面パネルが有する音声  パイロットランプ視認用穴を利用した表札パーツや装飾の装着が簡単であり、使用者の嗜好によりカスタマイズすることが可能である。
【発明の効果】
【００１０】
上述したように構成された本発明の表札兼インターホンカバーによれば、表面パネル全体をボタンのように押して内へ折り曲げる動作により、内に覆い隠したインターホン子機の呼出ボタンを点で無く面で捕捉出来る事から、インターホン子機の呼出ボタンの位置がどこであろうと幅広く対応できる。
【００１１】
また表面パネル部全体に音声  パイロットランプ視認用穴があり、インターホン子機のパイロットランプがどの位置であっても点灯を確認でき、マイクがどの位置であってもそこから音声をよりスムーズにインターホン子機まで届かせることが出来るため、パイロットランプ及びマイクの位置が異なる幅広い機種のインターホン子機に対応することができる。
【００１２】
音声  パイロットランプ視認用穴を利用し、自由にデザイン可能な表札や装飾を簡単に美しく装着できるため別途表札を取り付ける必要が無く、建造物の顔とも言える玄関及びエントランスに使用者の嗜好を反映し、個性を演出することができる。
【００１３】
なお、条件により上辺以外に右辺、左辺、もしくは下辺で連結する必要があるときには同じ部材の方向を変えて使用する事で、全方向での連結を行うこともできるなど、内に覆い隠したインターホン子機の呼出ボタンを点で無く面で捕捉する動作を応用すれば、表面パネルの形および支持部の形状も設置条件等により変更可能なため、今後様々なデザインで対応できる可能性が高い。
【発明を実施するための形態】
【００１４】
以下、本発明の最良の実施の形態を図１〜図１０に基づき説明する。
【００１５】
図１は、Ｌ型の表札パーツ例５と押す位置を指示する装飾例６をつけたものを斜視図で表現している。Ｌ型の表札パーツ例５及び押す位置を指示する装飾例６はデザインも位置も使用者の嗜好により自由に設定でき、音声  パイロットランプ視認用穴７を利用し簡単に水平垂直に美しく装着することができる。表面パネル１の中央の開口部はカメラ用窓２で、インターホンのメーカーや機種が異なっていてもカメラはほぼ同じ範囲に位置するためこの一箇所でほぼ対応できる。表面パネル部１が有する音声  パイロットランプ視認用穴７から、インターホン子機のパイロットランプの位置が何処にあっても点灯を確認することができ、更にインターホン子機のマイクがどこにあっても音声をよりスムーズに通過させる事が可能なことがわかる。
【００１６】
図２は、インターホン子機３を含む本発明の詳細図である。支持部バックパネル４はインターホン子機３の配線準備をした上で、最背面で外壁や門袖など建造物に設置される。支持部バックパネル４と表面パネル１でインターホン子機３を挟むように組み合わせ、支持部バックパネル４の上のＬ型の部分と表面パネル１に溶接した連結パーツ８とを連結用ビス９で繋ぎ、連結する。
【００１７】
図３の側面図では表面パネル１と表面パネル１の上辺一辺を支持し固定された支持部バックパネル４がインターホン子機３を挟み、表面パネル１全体をボタンのように押して内へ折り曲げる動作により、中のインターホン子機３の突出した呼び出しボタンを捕捉し様々な位置に幅広く対応することできるのがわかる。また、表面パネル１の裏から呼出ボタンに触れる位置に、ゴムのような弾性素材の突起１０がクッションの役割のため貼付けられている事により、たとえ突出していない形状の呼出ボタンであってもボタンを押すことが出来、位置だけでなく呼出ボタンの形状の違いにも対応することができる。
【００１８】
図４では本発明を構造物に取り付ける基礎となる支持部バックパネル４を固定する様子を示している。構造物の任意の位置からインターホン子機３に接続する電気配線が出ているものを中央の配線用穴に通し、構造物に指示部バックパネル４を固定する。
【００１９】
図５は図４の後、インターホン子機３を配線接続し、支持部バックパネル４及び構造物に固定した図を示している。
【００２０】
次いで図６で表面パネル１が有する連結パーツ８が支持部バックパネル４と組み合わさり連結用ビス９にて連結される様子を背面から示した。この例では上辺を固定連結しているが、インターホン子機３の機種により呼び出しボタンの位置が異なるため呼出ボタンを最も効果的に押すことが出来る支点の位置も異なってくることが予想される。しかし、必要に応じ、下辺右辺左辺のいずれか最善の一辺で固定連結することもできる。
【００２１】
図７図８では上辺以外での固定連結例を示している。図７のように下辺で連結の例では支持部バックパネル４を上下反転して連結パーツ８を表面パネル１の下方に溶接することで可能となり、図８での右辺で連結の例は、支持部バックパネル４を横向けに使用し連結パーツ８を表面パネル１の右側に溶接することで可能となる。同様の要領で、左辺で連結することもできる。
【００２２】
なお図９図１０のように、支持部バックパネル４ではなく設置する構造物自体を支持部とすることも可能である。例として図９は上辺で支持している例、図１０は左辺支持の例だが左右反転しカメラ用窓２を位置変更することで右辺支持に変えることができるものである。インターホン子機３を構造物へ直接固定した後表面パネル１１で覆い隠し、表面パネル１１全体をボタンのように押して内へ折り曲げる動作をしたときも同様の効果があり、インターホン子機３の呼出ボタンの位置に幅広く対応することが出来る。
【００２３】
つまり位置の異なるインターホン子機の呼出ボタンを捕捉するためには、一辺を支持した表面パネルを内へ折り曲げる動作が主要であり、その表面パネルの形および支持部の形状は設置条件により変更してもよい。
【００２４】
なおインターホン子機を内側に隠したインターホンカバーの本体である表面パネルに一部切り込みを入れてその箇所を指で押し内へ折り曲げることでインターホン子機の呼出ボタンをおすことができるようにしてもよい。
【００２５】
本発明の表札兼インターホンカバーの構成は主要な動作すなわち面で呼出ボタンを捕捉する動作を実行できれば、図１から図８に示したようにいくつか細かく部品を分けることも図９図１０のように表面パネル１１単一部品で構成することもできる。
【００２６】
パイロットランプ視認のためならば、表面パネル１に穴をあける以外にも、例えばアクリルなどの半透明もしくは乳白色の材質を採用すれば、インターホン子機３の姿を不鮮明にしつつパイロットランプの点灯を視認することができる。
【００２７】
音声については、表面パネル１に透過させる穴等があいている事例の方が音声をマイクへ届けるにはより有効と思われる。しかしカメラ用窓２も広く開いており、また表面パネル１が一辺でしか支持されない構造のため、側面の残り３面は塞がらないので、側面からも音声は滞りなくインターホン子機３のマイクへ届くことができる。よってパイロットランプの視認のための要素を別途備えていれば、必ずしも表面パネル１に音声  パイロットランプ視認用穴７は無くてもよい。
【００２８】
ただし音声  パイロットランプ視認用穴７を採用しない場合は、表面パネル１に表札パーツ５及び装飾６を装着する際水平と垂直をとるのにやや手間が必要となり、また穴を支えにしない分パーツの安定が良くないことが予想できるため注意が必要である。
【００２９】
なお表札パーツ５を別途装着する以外に、表面パネル１自体に文字をくりぬき、表札機能を付加することもできる。その場合くりぬいた文字穴が音声とパイロットランプの視認に有効となる。
【００３０】
図１に示した本発明の最良の実施例について、その素材は水に強く対光性があり腐食しづらく丈夫で張りのあるステンレスのようなものが一番望ましいが、表面パネル１及び表札パーツ５や装飾６には、アクリルやカーボン、樹脂、天然木や陶板など構造物の趣向や使用者の嗜好などの条件により、その他様々な材質を採用することもできる。
【図面の簡単な説明】
【００３１】
【図１】本発明の表札兼インターホンカバーの実施の最良の形態を示す全体の斜視図
【図２】同表札兼インターホンカバーとインターホン子機３及び部材との配置関係を示す詳細図
【図３】同表札兼インターホンカバーの実施の最良の形態を横から示す側面図
【図４】同表札兼インターホンカバーの支持部バックパネル４のみを構造物へ設置した状態を示す斜視図
【図５】同表札兼インターホンカバーの支持部バックパネル４を建造物に設置した後接続完了したインターホン子機３を固定した状態を示す斜視図
【図６】同表札兼インターホンカバーの表面パネル１と支持部バックパネル４を連結パーツ８及び連結用ビス９で連結する状態を背面から示した斜視図
【図７】同表札兼インターホンカバーを上辺で連結せず下辺で連結した例を示す詳細図
【図８】同表札兼インターホンカバーを上辺で連結せず右辺で連結した例を示す詳細図
【図９】同表札兼インターホンカバーと同様の効果を持つ、その他の実施例で上辺支持のものを示した図
【図１０】同表札兼インターホンカバーと同様の効果を持つ、その他の実施例で左辺支持のものを示した図
【符号の説明】
【００３２】
１    表面パネル
２    カメラ用窓
３    インターホン子機
４    支持部バックパネル
５    表札パーツ取付け例  デザイン及び位置は自由
６    装飾取付け例  デザイン及び位置は自由
７    音声  パイロットランプ視認用穴
８    連結パーツ
９    連結用ビス
１０  弾性素材の突起
１１  表面パネル例  単一部品の場合
【図１】
2010288038.tif 000003
【図２】
2010288038.tif 000004
【図３】
2010288038.tif 000005
【図４】
2010288038.tif 000006
【図５】
2010288038.tif 000007
【図６】
2010288038.tif 000008
【図７】
2010288038.tif 000009
【図８】
2010288038.tif 000010
【図９】
2010288038.tif 000011
【図１０】
2010288038.tif 000012